(57)【要約】【課題】  物品の吊下作業や取替作業を一人で簡単に行うことができる物品吊り具を提供する。【解決手段】  本発明の物品吊り具は、本体と、物品を保持する物品保持体と、操作紐及び滑車を有する昇降機構を備えている。物品保持体は昇降機構を介して本体に吊下げられ、昇降機構の操作紐が引っ張られると本体側に引き上げられ、当該操作紐の引っ張りが解除されると本体から離れる方向に降下するようにしてある。物品保持体に係止部を設けるとともに、本体に係止受け部を設け、操作紐によって物品保持体が所定位置まで引き上げられると、係止部が係止受け部に係止して物品保持体が停止し、当該停止位置からさらに操作紐が引かれると係止部の係止が解除されるようにした。【選択図】図１
2016137058.tif 000002
【特許請求の範囲】
【請求項１】
物品の吊下げに用いる物品吊り具において、
本体と、物品を保持する物品保持体と、操作紐及び滑車を有する昇降機構を備え、
前記物品保持体は昇降機構を介して本体に吊下げられ、昇降機構の操作紐が引っ張られると本体側に引き上げられ、当該操作紐の引っ張りが解除されると本体から離れる方向に降下し、
前記物品保持体は係止部を備え、
前記本体は前記係止部を係止可能な係止受け部を備え、
前記操作紐によって物品保持体が所定位置まで引き上げられると、当該物品保持体に設けられた係止部が本体の係止受け部に係止して物品保持体が停止し、当該物品保持体が停止した位置からさらに操作紐が引かれると係止部の係止が解除される、
ことを特徴とする物品吊り具。
【請求項２】
請求項１記載の物品吊り具において、
係止部は外側に突出する係止ピンを備え、
係止受け部は前記係止ピンが係合可能な凹陥状の凹溝部を備えた、
ことを特徴とする物品吊り具。
【請求項３】
請求項２記載の物品吊り具において、
凹溝部と、当該凹溝部の手前側に設けられ当該凹溝部に連通する入口側通路の双方が、本体の長手方向の中心よりもいずれかの外側にずれた偏心位置に配置され、
前記本体に、所定位置まで引き上げられた物品保持体の係止部を前記入口側通路に導くための案内部が設けられた、
ことを特徴とする物品吊り具。
【請求項４】
請求項３記載の物品吊り具において、
凹溝部の先方に当該凹溝部及び入口側通路に連通する出口側通路が設けられ、
前記出口側通路が本体の長手方向の中心軸線上に配置された、
ことを特徴とする物品吊り具。
【請求項５】
請求項１から請求項４のいずれか１項に記載の物品吊り具において、
操作紐を掛けまわして保持可能な紐固定部が設けられた、
ことを特徴とする物品吊り具。
【請求項６】
請求項５記載の物品吊り具において、
紐固定部が、物品保持体を本体に係止したときに、当該物品保持体で保持した物品の裏側に一部又は全部が隠れる位置に設けられた、
ことを特徴とする物品吊り具。
【請求項７】
請求項１から請求項６のいずれか１項に記載の物品吊り具において、
物品保持体は、対向配置された二枚の長板材を備え、
前記二枚の長板材は、その内面側に突設された把持片を備え、
前記二枚の長板材の把持片は、高さ方向の異なる位置に突設され、
前記把持片で保持される物品を当該把持片で湾曲させた状態で保持可能である、
ことを特徴とする物品吊り具。
【発明の詳細な説明】
【技術分野】
【０００１】
本発明は、店舗や展示場などにおいて吊下げて展示されるラグマットや絨毯、カーペット、カーテン、暖簾、ポスター（額縁入りのものも含む。本願において同じ）、絵画（額縁入りのものも含む。本願において同じ）などの各種展示物、一般家庭や介護施設、宿泊施設などにおいて使用される敷布団や掛布団、シーツなどの各種寝具類、その他これに類する吊下げ可能な物（本願において、これらを総称して「物品」という）の吊下げに使用可能な物品吊り具に関する。
【背景技術】
【０００２】
ホームセンターや商店などで扱われるラグマットや絨毯、カーペット、カーテン、暖簾、ポスター、絵画等の各種物品は、需要者が当該物品のデザインやサイズ感を把握しやすいように、天井側から吊下げた状態で展示されている。例えば、ラグマットや絨毯などは、天井に設置された天井レールにフックが設けられ、物品を把持した吊り具の係止リングを当該フックに係止することにより、当該物品が吊下げられている。
【０００３】
前記従来の方式では、ラグマットを取替える場合に、ラグマットを保持する作業員と脚立に乗って係止リングをフックから外す作業員の少なくとも二名が必要であり、一人で取替作業を行うのは困難であった。また、店舗によっては、ラグマットの展示スペースの下方に他の商品が陳列或いはストックされることがあるため、ラグマットの直下に脚立を設置することができないこともある。このような場合、脚立を展示されたラグマットの側方に配置して作業を行うが、ラグマットの取替作業を行う作業員は、一方の足を脚立の上に、他方の足を展示スペースの奥の壁に掛けるなどしなければならず、足を踏み外したり足を滑らせたりして脚立から落下する危険がある。対象物が重量の重いラグマットであるような場合には、特に大きな危険を伴う。このような問題は、ラグマットの新規吊下げの際にも生じる問題である。
【０００４】
従来、展示するラグマットの取替えや新規吊下げを容易にするための装置として、複数のラグマットを展示するための展示スペースと、ラグマットを昇降させる移送スペースを備え、展示スペースに展示されたラグマットを移送スペースに移動し、そのラグマットを当該移送スペースに設けられた移送機構で昇降させて、取替作業を行えるようにした展示装置が提案されている（特許文献１）。
【先行技術文献】
【特許文献】
【０００５】
【特許文献１】特許第３４００４１０号
【発明の概要】
【発明が解決しようとする課題】
【０００６】
しかし、前記特許文献１記載の展示装置は、展示用（吊下げ用）のスペースと昇降用のスペースを分けているため設置面積が広く、予め当該展示装置を設置するための広いスペースを確保しておかなければならい。このため、前記展示装置は、広いスペースを確保できる店舗棟には設置できるが、設置スペースを確保するのが難しい小店舗などには設置できないという難点がある。また、移送スペースに設けられる移送機構が、複数のラグマットに対して一つしか設けられていないため、複数のラグマットを取替えたい場合でも、一度に複数のラグマットを取替えることはできない。複数のラグマットを取替えるためには、展示スペースから移送スペースへのラグマットの移動、移送機構によるラグマットの降下、ラグマットの取外し及び取付け、移送機構によるラグマットの上昇、移送スペースから展示スペースへのラグマットの移動という作業を繰返し行わなければならず、必ずしも作業効率のよいものではなかった。
【０００７】
本発明の解決課題は、物品の取替えを一人で行うことができ、吊下げ用のスペースとは別に昇降用のスペースを設けなくとも吊下げ用のスペースで物品を取替えることができ、物品の取替えに脚立を用いる必要がなく、物品を安全に取替えることのできる物品吊り具を提供することにある。
【課題を解決するための手段】
【０００８】
本発明の物品物吊り具は、物品の吊下げに用いるものであって、本体と、物品を保持する物品保持体と、操作紐及び滑車を有する昇降機構を備えたものである。前記物品保持体は昇降機構を介して本体に吊下げられ、昇降機構の操作紐が引っ張られると本体側に引き上げられ、当該操作紐の引っ張りが解除されると本体から離れる方向に降下するようにしてある。物品保持体には係止部が、本体には当該係止部を係止可能な係止受け部が設けられ、操作紐によって物品保持体が所定位置まで引き上げられると、当該物品保持体に設けられた係止部が本体の係止受け部に係止して物品保持体が停止し、当該物品保持体が停止した位置からさらに操作紐が引かれると係止部の係止が解除されるようにしてある。
【０００９】
前記物品吊り具において、係止部を外側に突出する係止ピンを備えたものとし、係止受け部を係止ピンが係合可能な凹陥状の凹溝部を備えたものとすることができる。この場合、凹溝部と、当該凹溝部の手前側に設けられ当該凹溝部に連通する入口側通路の双方が、本体の長手方向の中心（本願において「本体中心」という）よりもいずれかの外側にずれた偏心位置に配置されるようにするとともに、本体に所定位置まで引き上げられた物品保持体の係止部を入口側通路に導くための案内部を設けるようにすることができる。凹溝部の先方に当該凹溝部及び入口側通路に連通する出口側通路を設けておき、当該出口側通路が、本体中心の軸線上に配置させるようにするのが好ましい。
【００１０】
前記物品吊り具は、操作紐を掛けまわして保持できる紐固定部を設けることもできる。この場合、紐固定部は、物品保持体を本体に係止したときに、当該物品保持体で保持した物品の裏側に隠れる位置に設けるのが好ましい。
【００１１】
前記物品吊り具において、物品保持体は、対向配置された二枚の長板材を備え、前記二枚の長板材は、その内面側に突設された把持片を備え、前記二枚の長板材の把持片は、高さ方向の異なる位置に突設され、前記把持片で保持される物品を当該把持片で湾曲させた状態で保持できるようにしてもよい。
【発明の効果】
【００１２】
本発明の物品吊り具には、次の効果がある。
（１）滑車と操作紐によって物品保持体を昇降させる構造であるため、物品の引き上げが容易であり、力の弱い作業者でも簡単に物品を吊下げる作業（吊下作業）や、物品を取替える作業（取替作業）を行うことができる。
（２）操作紐の操作により物品保持体を昇降させる構造であるため、吊下作業や取替作業に際して脚立を用いる必要がない。脚立を用いる必要がないため、脚立を置くスペースがないような限られた場所でも物品の取替えを行うことができる。
（３）物品保持体を床まで降ろして物品の取替作業を行うことができるので、作業が簡単、かつ、安全である。
（４）物品吊り具は物品単位で設けられるものであるため、すべての物品の吊下げ展示に本発明の物品吊り具を用いれば、一度に複数の物品の取替えが可能である。
（５）物品の取付けや取替えを床に置いたまま行うことができ、物品の取付けや取替え時に物品を天井近傍まで持ち上げる必要がないため、一人でも吊下作業や取替作業を簡単に行うことができる。
（６）凹溝部と入口側通路を、本体中心よりも外側の偏心位置に配置するとともに、物品保持体の係止部を入口側通路に導くための案内部を設けた場合、操作紐を引っ張るだけで、物品保持体の係止部がガイド通路の凹溝部に収まるため、物品吊り具の本体への係止が非常に簡単である。
（７）出口側通路を本体中心の軸線上に設けた場合、凹溝部を抜けたあとは、自重で降下する状態となるため、物品保持体を降下させるのが容易である。
（８）操作紐を掛けまわして保持できる紐固定部を設けた場合、操作紐が揺動することがなく、目障りにならない。また、余分な紐固定部を掛けまわしておけば、来店者や作業者が操作紐に引っかかって転倒するような事故の予防にもなる。
（９）紐固定部を、物品保持体で保持した物品の裏側に隠れる位置に設けた場合、目障りにならないうえ、体裁も良い。
【図面の簡単な説明】
【００１３】
【図１】本発明の物品吊り具でラグマットを吊下げた状態を示す斜視図。
【図２】（ａ）は本発明の物品吊り具の一例を示す正面図、（ｂ）は（ａ）の物品吊り具における昇降機構の一例を示す説明図。
【図３】本体に設けられた係止受け部の一例を示すものであって、（ａ）は斜視図、（ｂ）は（ａ）の正面図。
【図４】物品保持体の一例を示すものであって、（ａ）は対向配置された長板材を固定具で固定する前の状態を示す斜視図、（ｂ）対向配置された長板材を固定具で固定した状態を示す斜視図。
【図５】物品保持体の一例を示すものであって、（ａ）は対向配置された長板材を固定具で固定する前の状態を示す側面図、（ｂ）対向配置された長板材を固定具で固定した状態を示す側面図。
【図６】（ａ）は物品保持体に設けられた係止部の一例を示す斜視図、（ｂ）は（ａ）の正面図。
【図７】（ａ）は紐固定部の一例を示す背面図、（ｂ）は（ａ）の背面斜視図。
【図８】（ａ）〜（ｅ）は、物品保持体を引き上げて本体に係止するまでの動作説明図。
【図９】（ａ）〜（ｅ）は、本体に係止した物品保持体の係止を解除して降下させるときの動作説明図。
【図１０】（ａ）〜（ｄ）は本発明の物品吊り具にラグマットを取付けて展示するまでの手順説明図。
【図１１】（ａ）〜（ｄ）は本発明の物品吊り具に取付けたラグマットを他のラグマットに取替えるときの手順説明図。
【発明を実施するための形態】
【００１４】
（実施形態）
本発明の物品吊り具１の一例を、図面を参照して説明する。本発明の物品吊り具１は、前記展示物や寝具類、その他これに類する各種物品Ａの吊り具として用いることができるものであるが、ここでは物品Ａが重量２０ｋｇ程のラグマットＡの場合（図１）を一例として説明する。なお、本願では、天井Ｓ側（図１の上側）を上、床側（図１の下側）を下として説明することとする。
【００１５】
一例として図１及び図２（ａ）（ｂ）に示す物品吊り具１は、本体２と、ラグマットＡを保持する物品保持体３と、操作紐４及び複数個の滑車（図２（ｂ）の例では十個）５ａ〜５ｊを有する昇降機構６と、操作紐４を固定する紐固定部７（図７（ａ）（ｂ））を備えたものである。物品保持体３は昇降機構６を介して本体２に吊下げられ、昇降機構６の操作紐４が下向きに引っ張られると本体１側に引き上げられ、当該操作紐４が緩められる（操作紐４の引っ張りが解除される）と本体２から離れる方向に降下するようにしてある。物品保持体３は、本体２に係止されていない状態（非係止状態）において、本体中心Ｐと物品保持体３の長手方向の中心（以下「保持体中心」という）Ｑとが同一軸線上に位置するように本体２に吊下げてあり、本体２に係止された状態（係止状態）には、その保持体中心Ｑが本体中心Ｐの軸線上からずれた偏心軸線上に位置するようにしてある。
【００１６】
前記本体２は、吊り金具Ｂを介して天井Ｓの天井レールＣに吊下げられる部材である。一例として図２（ａ）（ｂ）に示す本体２は、ラグマットＡの横幅よりも幅の広い細長部材であり、その長手方向中央部に、物品保持体３に設けられた係止部８を係止可能な係止受け部９が設けられている。図２（ｂ）に示すように、本体２には、係止受け部９の両外側に一つずつと長手方向両端側に二つずつ、合計六つの滑車５ａ〜５ｆが設けられている。本体中心Ｐから係止受け部９の両外側の滑車（以下「内側滑車」という）５ａ、５ｂまでの距離Ｌ１は等距離としてある。同様に、本体中心から長手方向両端側の滑車（以下「二連滑車」という）５ｃ〜５ｆまでの距離Ｌ２及びＬ３も等距離としてある。ここでいう距離Ｌ２は本体中心から二連滑車の内側の滑車（内滑車）５ｃ、５ｄまでの距離であり、距離Ｌ３は本体中心から二連滑車の外側の滑車（外滑車）５ｅ、５ｆまでの距離である。
【００１７】
前記係止受け部９は、図３（ａ）（ｂ）に示すように、Ｍ字状の切欠き（以下「Ｍ字切欠き」という）１０を備えたプレート（以下「切欠きプレート」という）１１と、Ｙ字状のガイド部材（以下「Ｙ字状ガイド」という）１２とで構成されている。具体的には、本体２に取付けられた取付け部材（図示しない）の表面に、Ｍ字切欠き１０の開口部が下側を向くように切欠きプレート１１が固定され、当該切欠きプレート１１のＭ字切欠き１０にＹ字状ガイド１２が取付けられている。Ｙ字状ガイド１２は、上側の凹部１２ａがＭ字切欠き１０の凸部１０ａに向かい合う位置に取付けられている。切欠きプレート１１とＹ字状ガイド１２は間隔をあけて配置してあり、両者間に物品保持体３の係止部８（より詳しくは、後述する係止ピン８ａ）が通過可能なＭ字状の通路（以下「ガイド通路」という）１３が形成されている。
【００１８】
図３（ａ）（ｂ）に示すように、ガイド通路１３は、斜め導入路１３ａ、入口側直線部１３ｂ、凹溝部１３ｃ、出口側直線部１３ｄ、斜め排出路１３ｅとから構成され、当該出口側直線部１３ｄの中心が本体中心Ｐに位置するようにしてある。斜め導入路１３ａと入口側直線部１３ｂが入口側通路であり、出口側直線部１３ｄと斜め排出路１３ｅが出口側通路である。凹溝部１３ｃは凹陥状の窪みであり、係止部８の係止ピン８ａが嵌合する部分である。出口側直線部１３ｄの真下には、Ｙ字状ガイド１２の下端部１２ｂが位置するようにしてあり、本体２の近傍まで引き上げられた物品保持体３の係止ピン８ａが出口側直線部１３ｄに入らずに斜め導入路１３ａに案内されるようにしてある。
【００１９】
図３（ｂ）に示すように、物品保持体３は、その係止ピン８ａがＹ字状ガイド１２に当接するまでは出口側直線部１３ｄの延長線上（すなわち、本体中心Ｐの軸線上）を引き上げられるが、係止ピン８ａがＹ字状ガイド１２の下端部１２ｂに当接したところで、当該係止ピン８ａが斜め導入路１３ａから入口側直線部１３ｂにガイドされ、入口側直線部１３ｂを通過したところで凹溝部１３ｃに収まる。物品保持体３の係止ピン８ａが凹溝部１３ｃに収まると物品保持体３はその位置で停止し、操作紐４を離しても物品Ａが不用意に降下することがない。係止ピン８ａが凹溝部１３ｃを通過して出口側直線部１３ｄに移ると、物品保持体３の係止が解除される。このように、操作紐４を抑え具で押して物品保持体３を停止させる構造ではなく、係止部８と係止受け部９で物品保持体３を本体２に係止する構造であるため、操作紐４自体には抵抗がかからず、力の弱い作業員でも操作紐４の引っ張り操作をスムーズに行うことができる。なお、前述のガイド通路１３の構造は一例であり、係止部８が係合して物品保持体３が本体２に保持される構造であれば、これ以外の構造とすることもできる。
【００２０】
前記物品保持体３は、吊下げ対象であるラグマットＡを保持するための部材である。一例として図４（ａ）（ｂ）に示す物品保持体３は、対向配置された二枚の長板材３ａ、３ｂが複数個（図示の例では六個）の固定具１４によって固定されたものである。ここでは、固定具１４として、ソフトグリップ式のボルト１４ａとナット１４ｂを用いているが、固定具はこれ以外であってもよい。二枚の長板材３ａ、３ｂは本体２の長手方向の長さよりも若干短い寸法としてある。図４（ａ）（ｂ）及び図５（ａ）（ｂ）に示すように、それぞれの長板材３ａ、３ｂの内面には斜め上向きに突出した把持片１５ａ、１５ｂが設けられ、それら両把持片１５ａ、１５ｂによって両把持片１５ａ、１５ｂの間に配置されるラグマットＡを保持できるようにしてある。両把持片１５ａ、１５ｂの下端側は内向きに屈折させてある。
【００２１】
図４（ａ）（ｂ）及び図５（ａ）（ｂ）に示すように、それぞれの把持片１５ａ、１５ｂは、その高さ方向の位置をずらして突設してあり、ラグマットＡのうち両把持片１５ａ、１５ｂで挟まれた部分を湾曲させた状態で保持できるようにしてある。このように把持片１５ａ、１５ｂの高さ方向の位置をずらしてラグマットＡの保持部分を湾曲させることによって、ラグマットＡにかかる鉛直方向の力を小さくすることができ、把持片１５ａ、１５ｂを同一の高さに設けてラグマットＡを湾曲させずに保持する場合よりも、ラグマットＡが落下し難くなる。なお、前記ラグマットＡの保持方法は一例であり、これ以外の方法でラグマットＡを保持するようにしてもよい。
【００２２】
物品保持体３の長手方向中心部には、本体２の係止受け部９に係止可能な係止部８が上向きに突設されている。一例として図６（ａ）（ｂ）に示す係止部８は、物品保持体３に固定する固定部８ｃと当該固定部８ｃから上向きに突設した突片８ｂと当該突片８ｂの裏側に突設された係止ピン８ａを備えている。係止ピン８ａは前記ガイド通路１３に収まる太さの円柱状であり、操作紐４による物品保持体３の引き上げによって、当該ガイド通路１３を斜め導入路１３ａ、入口側直線部１３ｂ、凹溝部１３ｃ、出口側直線部１３ｄ、斜め排出路１３ｅの順に移動できるようにしてある。
【００２３】
図２（ｂ）に示すように、物品保持体３の係止部８の両外側と物品保持体３の長手方向両端寄りの箇所には、それぞれ一つずつ（合計四つ）滑車５ｇ〜５ｊが設けられている。保持体中心Ｑから係止部８の両外側の滑車（以下「内側滑車」という）５ｇ、５ｈまでの距離Ｌ４は等距離としてある。同様に、保持体中心Ｑからその長手方向両端側の滑車（以下「外側滑車」という）５ｉ、５ｊまでの距離Ｌ５も等距離としてある。
【００２４】
これら四つの滑車５ｇ〜５ｊと本体２の六つの滑車５ａ〜５ｆの外周には操作紐４が架け渡されている。具体的には、一端が本体２の紐保持部（図示しない）に保持された操作紐４を、本体２の長手方向一端側に設けられた二連滑車５ｆ、５ｄの上側、物品保持体３の一端寄りの外側滑車５ｊの下側、物品保持体３の係止部寄りの内側滑車５ｈの下側、本体２の一方の内側滑車５ｂの上側、本体２の他方の内側滑車５ａの上側、物品保持体３の係止部寄りの内側滑車５ｇの下側、物品保持体３の他端寄りの外側滑車５ｉの下側、本体２の長手方向他端側に設けられた二連滑車５ｃ、５ｅの上側の順に架け渡し、操作紐４の他端を本体２の外滑車５ｅの外側に引き出して、作業者が把持して操作できるようにしてある。これらの滑車５ａ〜５ｊ及び操作紐４は、物品保持体３を本体２に吊下げるとともに、物品保持体３を本体２から離れる方向に降下させ、又は本体２に近づく方向に上昇させる昇降機構６として機能する。滑車５ａ〜５ｊには樹脂製のものなど、操作紐４には各種合成樹脂製のロープや綿製のロープなど、いずれも既存のものを用いることができる。
【００２５】
前記紐固定部７（図７（ａ）（ｂ））は、展示中など、作業を行わないときに操作紐４を掛けまわして固定しておくための部材である。一例として図７（ａ）（ｂ）に示す紐固定部７は縦長の薄板部材である。紐固定部７は、その上端側が本体２に固定され、正面又は背面から見たときに本体２と紐固定部７がＴ字状となるようにしてある。紐固定部７は物品保持体３を本体２に係止したときに、当該物品保持体３で保持したラグマットＡの裏側に隠れるようにしてある。紐固定部７は全部がラグマットＡの裏側に隠れるようにするのが好ましが、一部のみが隠れるようにしてもよい。紐固定部７の裏面側には、Ｌ字状の係止フック１６が間隔をあけて三つ突設され、これら係止フック１６の外周に操作紐４を掛けまわして固定できるようにしてある。前記係止フック１６の形状は一例であり、単なる平板や湾曲した薄板など他の形状とすることもできる。また、係止フック１６の設置数は一つ、二つ、或いは四つ以上とすることもできる。紐固定部４は必要に応じて設ければよく、展示位置の近傍の壁面にフックが設けられている場合など、代用できるものがある場合には省略することができる。
【００２６】
本発明の物品吊り具１の本体２や物品保持体３、紐固定部７は、アルミ製としてある。アルミは軽量であるため、設置が容易である。本体２や物品保持体３、紐固定部７は、ステンレスや鉄、ＦＲＰなど、アルミ以外の材質製としてもよい。
【００２７】
（動作）
本発明の物品吊り具１の動作を、図３（ａ）（ｂ）、図８（ａ）〜（ｅ）及び図９（ａ）〜（ｅ）を参照して説明する。はじめに、物品保持体３を引き上げて本体２に係止するまでの動作を、図３（ａ）（ｂ）及び図８（ａ）〜（ｅ）を参照して説明する。
（１）図８（ａ）は、物品保持体３が本体２に吊下げられた状態を示すものである。この状態で、操作紐４を下向きに引くと、物品保持体３が本体２側に向けて引き上げられる。
（２）図８（ｂ）のように、物品保持体３が本体２の近傍まで引き上げられると、物品保持体３の係止部８（係止ピン８ａ）が本体のＹ字状ガイド１２の下方部１２ａ側に当接する。
（３）係止ピン８ａがＹ字状ガイド１２の下方部１２ａに当接した状態でさらに操作紐４を下向きに引くと、図８（ｃ）のように、係止ピン８ａがガイド通路１３の斜め導入路１３ａ（図３（ａ）（ｂ））から入口側直線部１３ｂに移動する。図８（ｃ）は、物品保持体３の係止ピン８ａが入口側直線部１３ｂの最上部（凹溝部１３ｃの入口）に到達した状態、すなわち、物品保持体３と本体２の間隔が最も近くなった状態を示すものである。
（４）前記図８（ｃ）の状態から係止ピン８ａが入口側直線部１３ｂを通過すると、図８（ｄ）に示すように、物品保持体３の係止ピン８がガイド通路１３の凹溝部１３ｃに到達する。
（５）図８（ｅ）は、物品保持体３が本体２に係止されて停止した状態を示すものである。この状態では、物品保持体３の係止ピン８ａがガイド通路１３の凹溝部１３ｃに収まって、物品保持体３が本体２に係止されているため、操作紐４を離しても物品保持体３が降下することはない。
【００２８】
次に、本体２に係止した物品保持体３の係止を解除して物品保持体３を降下させる動作を、図３（ａ）（ｂ）及び図９（ａ）〜（ｅ）を参照して説明する。
（１）図９（ａ）は、図８（ｅ）同様、物品保持体３が本体２に係止されて停止した状態を示すものである。
（２）前記図９（ａ）の状態からさらに操作紐４を下向きに引くと、図９（ｂ）に示すように、係止ピン８ａが凹溝部１３ｃ（図３（ａ）（ｂ））から脱出して出口側直線部１３ｄに移動する。図９（ｂ）は、物品保持体３が出口側直線部１３ｄの最上部（凹溝部１３ｃの出口）に位置した状態、すなわち、物品保持体３と本体２の間隔が最も近くなった状態を示すものである。
（３）前記図９（ｂ）のように係止ピン８ａが出口側直線部１３ｄに移動すると、物品保持体３の本体２への係止が解除される。この状態で図９（ｃ）のように操作紐４を緩める（上に引き戻される）と、物品保持体３が降下する。
（４）出口側直線部１３ｄの下にはＹ字状ガイド１２の下端部１２ｂが配置されており、図９（ｄ）のように、出口側直線部１３ｄを通過した係止ピン８ａは当該Ｙ字状ガイド１２の下端部１２ｂに案内されながら下方へ移動する。
（５）図９（ｅ）は、物品保持体３の本体２への係止が解除された状態を示すものである。この状態で物品保持体３を床まで降下させれば、その位置でラグマットＡの取替作業を行うことができる。
【００２９】
（ラグマットの取付け及び吊下げの手順）
ラグマットＡを物品吊り具１へ取付けて、吊下げるまでの手順を、図１０（ａ）~（ｄ）を参照して説明する。
（１）図１０（ａ）に示すように、天井Ｓに予め設置された複数本の天井レールＣに、物品吊り具１の本体２を吊下げておく。このとき、物品保持体３は本体２に係止しておくのが望ましい。
（２）前記（１）の状態で、操作紐４を操作して物品保持体３の係止を解除し、当該物品保持体３を床まで降下させる（図１０（ｂ））。
（３）前記（２）の状態で、物品保持体３の二枚の長板材３ａ、３ｂの把持片１５ａ、１５ｂで展示対象であるラグマットＡを保持させる（図１０（ｂ））。
（４）前記（３）の状態で、操作紐４を下向きに引っ張って物品保持体３を本体２側に向けて上昇させ（図１０（ｃ））、物品保持体３の係止ピン８ａがガイド通路１３の凹溝部１３ｃに収まるまで物品保持体３を上昇させる（図１０（ｄ））。
（５）以上の工程をそれぞれの物品吊り具１について行うことによって、複数枚のラグマットＡを図１に示すように並べて吊下げることができる。
【００３０】
（ラグマットの取替え手順）
吊下状態にあるラグマット（説明の便宜上「ラグマットＸ」とする）を他のラグマット（説明の便宜上「ラグマットＹ」とする）に取替える手順を、図１１（ａ）~（ｄ）を参照して説明する。
（１）図１１（ａ）は本発明の物品吊り具１によってラグマットＸを吊下げた状態を示すものである。
（２）前記（１）の状態で、操作紐４を操作して物品保持体３の本体２への係止を解除し、当該物品保持体３を床まで降下させる（図１１（ｂ））。
（３）前記（２）の状態で、物品保持体３で保持されたラグマットＸを取り外し、新たなラグマットＹに取替える。
（４）新たなラグマットＹに取替えたら、操作紐４を下向きに引っ張って物品保持体３を本体２側に向けて上昇させ（図１１（ｃ））、物品保持体３の係止ピン８ａをガイド通路１３の凹溝部１３ｃに収める（図１１（ｄ））。
（５）以上の工程を、所望の物品吊り具１について行うことによって、ラグマットＸを新たなラグマットＹに取替えることができる。
【００３１】
（その他の実施形態）
前記実施形態では、物品ＡがラグマットＡの場合を一例として説明しているが、本願の物品Ａには、ラグマットＡのほか、絨毯やカーペット、カーテン、暖簾、ポスター、絵画といった各種展示物、敷布団や掛布団、シーツなどの各種寝具類、その他これに類する物（例えば、学校の体育館や演劇場の舞台、映画館などに設置される緞帳など、その一部（上方）を保持した状態で吊下げ可能な物）が含まれ、本発明の物品吊り具１はこれら物品Ａの吊下げに用いることができる。なお、前記実施形態では、ラグマットＡを二枚の把持片１５ａ、１５ｂで挟持する場合を一例としているが、物品保持体３における物品保持構造は、吊下げ対象である物品Ａに応じて変更することができる。例えば、ポスターや絵画を保持する場合には、物品保持体３の下端側にピクチャーレール（図示しない）を配設し、当該ピクチャーレールのリングに絵画吊下げ用のワイヤーを引っ掛けられるような構造にすることができる。
【００３２】
前記実施形態では、店舗や展示場にラグマットＡを展示する場合を一例として説明しているが、本発明の物品吊り具１は、一般家庭や介護施設、宿泊施設などにおいて使用される各種寝具類を干す場合に用いることができる。寝具類を干す場合、ベランダの手摺りや庭等に設置した物干し竿など（以下「手摺り等」という）を用いるのが一般的である。手摺り等を用いて寝具類を干す場合、寝具類の中央部分を手摺り等に掛け、寝具類の内面同士が対向するような形にすることが多い。この場合、寝具類の外面のうち、折り曲げた一方の面にしか日が当たらず、頃合いをみて寝具類の向きを変える必要がある。本発明の物品吊り具１では、寝具類の上方を保持することによって、寝具類を広げた状態で干すことができるため、寝具類の外側全面を一度に日にあてることができ、寝具類の向きを変える手間がかからないというメリットがある。
【産業上の利用可能性】
【００３３】
本発明の物品吊り具１は、ラグマットＡのほか、各種展示物や各種寝具類、その他これに類する各種物品の吊り具として幅広く用いることができる。
【符号の説明】
【００３４】
１      物品吊り具
２      本体
３      物品保持体
３ａ、３ｂ  長板材
４      操作紐
５ａ、５ｂ  内側滑車
５ｃ、５ｄ  内滑車
５ｅ、５ｆ  外滑車
５ｇ、５ｈ  内側滑車
５ｉ、５ｊ  外側滑車
６      昇降機構
７      紐固定部
８      係止部
８ａ    係止ピン
８ｂ    突片
８ｃ    固定部
９      係止受け部
１０    Ｍ字切欠き
１０ａ  （Ｍ字切欠きの）凸部
１１    切欠きプレート
１２    Ｙ字状ガイド
１２ａ  （Ｙ字状ガイドの）凹部
１２ｂ  （Ｙ字状ガイドの）下端部
１３    ガイド通路
１３ａ  斜め導入路
１３ｂ  入口側直線部
１３ｃ  凹溝部
１３ｄ  出口側直線部
１３ｅ  斜め排出路
１４    固定具
１４ａ  ボルト
１４ｂ  ナット
１５ａ、１５ｂ  把持片
１６    係止フック
Ａ      物品
Ｂ      吊り金具
Ｃ      天井レール
Ｐ      本体中心
Ｑ      保持体中心
Ｓ      天井
【図１】
2016137058.tif 000003
【図２】
2016137058.tif 000004
【図３】
2016137058.tif 000005
【図４】
2016137058.tif 000006
【図５】
2016137058.tif 000007
【図６】
2016137058.tif 000008
【図７】
2016137058.tif 000009
【図８】
2016137058.tif 000010
【図９】
2016137058.tif 000011
【図１０】
2016137058.tif 000012
【図１１】
2016137058.tif 000013
【手続補正書】
【提出日】平成27年5月28日(2015.5.28)
【手続補正１】
【補正対象書類名】明細書
【補正対象項目名】全文
【補正方法】変更
【補正の内容】
【発明の詳細な説明】
【技術分野】
【０００１】
本発明は、店舗や展示場などにおいて吊下げて展示されるラグマットや絨毯、カーペット、カーテン、暖簾、ポスター（額縁入りのものも含む。本願において同じ）、絵画（額縁入りのものも含む。本願において同じ）などの各種展示物、一般家庭や介護施設、宿泊施設などにおいて使用される敷布団や掛布団、シーツなどの各種寝具類、その他これに類する吊下げ可能な物（本願において、これらを総称して「物品」という）の吊下げに使用可能な物品吊り具に関する。
【背景技術】
【０００２】
ホームセンターや商店などで扱われるラグマットや絨毯、カーペット、カーテン、暖簾、ポスター、絵画等の各種物品は、需要者が当該物品のデザインやサイズ感を把握しやすいように、天井側から吊下げた状態で展示されている。例えば、ラグマットや絨毯などは、天井に設置された天井レールにフックが設けられ、物品を把持した吊り具の係止リングを当該フックに係止することにより、当該物品が吊下げられている。
【０００３】
前記従来の方式では、ラグマットを取替える場合に、ラグマットを保持する作業員と脚立に乗って係止リングをフックから外す作業員の少なくとも二名が必要であり、一人で取替作業を行うのは困難であった。また、店舗によっては、ラグマットの展示スペースの下方に他の商品が陳列或いはストックされることがあるため、ラグマットの直下に脚立を設置することができないこともある。このような場合、脚立を展示されたラグマットの側方に配置して作業を行うが、ラグマットの取替作業を行う作業員は、一方の足を脚立の上に、他方の足を展示スペースの奥の壁に掛けるなどしなければならず、足を踏み外したり足を滑らせたりして脚立から落下する危険がある。対象物が重量の重いラグマットであるような場合には、特に大きな危険を伴う。このような問題は、ラグマットの新規吊下げの際にも生じる問題である。
【０００４】
従来、展示するラグマットの取替えや新規吊下げを容易にするための装置として、複数のラグマットを展示するための展示スペースと、ラグマットを昇降させる移送スペースを備え、展示スペースに展示されたラグマットを移送スペースに移動し、そのラグマットを当該移送スペースに設けられた移送機構で昇降させて、取替作業を行えるようにした展示装置が提案されている（特許文献１）。
【先行技術文献】
【特許文献】
【０００５】
【特許文献１】特許第３４００４１０号
【発明の概要】
【発明が解決しようとする課題】
【０００６】
しかし、前記特許文献１記載の展示装置は、展示用（吊下げ用）のスペースと昇降用のスペースを分けているため設置面積が広く、予め当該展示装置を設置するための広いスペースを確保しておかなければならい。このため、前記展示装置は、広いスペースを確保できる店舗棟には設置できるが、設置スペースを確保するのが難しい小店舗などには設置できないという難点がある。また、移送スペースに設けられる移送機構が、複数のラグマットに対して一つしか設けられていないため、複数のラグマットを取替えたい場合でも、一度に複数のラグマットを取替えることはできない。複数のラグマットを取替えるためには、展示スペースから移送スペースへのラグマットの移動、移送機構によるラグマットの降下、ラグマットの取外し及び取付け、移送機構によるラグマットの上昇、移送スペースから展示スペースへのラグマットの移動という作業を繰返し行わなければならず、必ずしも作業効率のよいものではなかった。
【０００７】
本発明の解決課題は、物品の取替えを一人で行うことができ、吊下げ用のスペースとは別に昇降用のスペースを設けなくとも吊下げ用のスペースで物品を取替えることができ、物品の取替えに脚立を用いる必要がなく、物品を安全に取替えることのできる物品吊り具を提供することにある。
【課題を解決するための手段】
【０００８】
本発明の物品物吊り具は、物品の吊下げに用いるものであって、本体と、物品を保持する物品保持体と、操作紐及び複数個の滑車を有する昇降機構と、互いに係止離脱可能な係止部と係止受け部を備えたものである。前記本体及び物品保持体は、縦寸法よりも横寸法が長い細長部材であり、前記係止部は前記物品保持体に設けられ、前記係止受け部は前記本体に設けられ、前記複数個の滑車は、前記本体と前記物品保持体のそれぞれの長手方向に複数個ずつ設けられ、前記操作紐は、前記本体に設けられた複数個の滑車と前記物品保持体に設けられた複数個の滑車に一連に架け渡され、その一端が前記本体の長手方向一端側に保持され、他端側が前記本体の長手方向他端側の外側に引き出され、前記物品保持体は前記操作紐の前記一連の架け渡しにより前記本体の下に吊り下げられたものである。一連に架け渡された操作紐の操作によって物品保持体が所定位置まで引き上げられると、前記係止部と前記係止受け部が互いに係止して前記物品保持体が停止し、前記物品保持体が停止した位置からさらに前記操作紐が引かれると前記係止部と前記係止受け部の係止が解除され、前記操作紐の引きが解放されると前記物品保持体が少なくともその自重により降下するようにしてある。
【０００９】
前記物品吊り具において、係止部は係止ピンを備え、係止受け部は前記係止ピンが通過可能な入口側通路と凹溝部と出口側通路を備え、前記凹溝部は前記入口側通路と前記出口側通路の間に設けられ、前記係止ピンが当該凹溝部に係止すると、物品保持体がその位置で停止するようにしてもよい。
【００１０】
前記物品吊り具は、本体の長手方向外側に引き出された操作紐の一端側を保持可能な紐固定部を設けることもできる。
【００１１】
前記物品吊り具において、本体は、天井に設けられた天井レールに吊金具を介して吊り下げ可能なものとすることができる。
【発明の効果】
【００１２】
本発明の物品吊り具には、次の効果がある。
（１）滑車と操作紐によって物品保持体を昇降させる構造であるため、物品の引き上げが容易であり、力の弱い作業者でも簡単に物品を吊下げる作業（吊下作業）や、物品を取替える作業（取替作業）を行うことができる。
（２）操作紐の操作により物品保持体を昇降させる構造であるため、吊下作業や取替作業に際して脚立を用いる必要がない。脚立を用いる必要がないため、脚立を置くスペースがないような限られた場所でも物品の取替えを行うことができる。
（３）物品保持体を床まで降ろして物品の取替作業を行うことができるので、作業が簡単、かつ、安全である。
（４）物品吊り具は物品単位で設けられるものであるため、すべての物品の吊下げ展示に本発明の物品吊り具を用いれば、一度に複数の物品の取替えが可能である。
（５）物品の取付けや取替えを床に置いたまま行うことができ、物品の取付けや取替え時に物品を天井近傍まで持ち上げる必要がないため、一人でも吊下作業や取替作業を簡単に行うことができる。
（６）凹溝部と入口側通路を、本体中心よりも外側の偏心位置に配置するとともに、物品保持体の係止部を入口側通路に導くための案内部を設けた場合、操作紐を引っ張るだけで、物品保持体の係止部がガイド通路の凹溝部に収まるため、物品吊り具の本体への係止が非常に簡単である。
（７）出口側通路を本体中心の軸線上に設けた場合、凹溝部を抜けたあとは、自重で降下する状態となるため、物品保持体を降下させるのが容易である。
（８）操作紐を掛けまわして保持できる紐固定部を設けた場合、操作紐が揺動することがなく、目障りにならない。また、余分な紐固定部を掛けまわしておけば、来店者や作業者が操作紐に引っかかって転倒するような事故の予防にもなる。
（９）紐固定部を、物品保持体で保持した物品の裏側に隠れる位置に設けた場合、目障りにならないうえ、体裁も良い。
【図面の簡単な説明】
【００１３】
【図１】本発明の物品吊り具でラグマットを吊下げた状態を示す斜視図。
【図２】（ａ）は本発明の物品吊り具の一例を示す正面図、（ｂ）は（ａ）の物品吊り具における昇降機構の一例を示す説明図。
【図３】本体に設けられた係止受け部の一例を示すものであって、（ａ）は斜視図、（ｂ）は（ａ）の正面図。
【図４】物品保持体の一例を示すものであって、（ａ）は対向配置された長板材を固定具で固定する前の状態を示す斜視図、（ｂ）対向配置された長板材を固定具で固定した状態を示す斜視図。
【図５】物品保持体の一例を示すものであって、（ａ）は対向配置された長板材を固定具で固定する前の状態を示す側面図、（ｂ）対向配置された長板材を固定具で固定した状態を示す側面図。
【図６】（ａ）は物品保持体に設けられた係止部の一例を示す斜視図、（ｂ）は（ａ）の正面図。
【図７】（ａ）は紐固定部の一例を示す背面図、（ｂ）は（ａ）の背面斜視図。
【図８】（ａ）〜（ｅ）は、物品保持体を引き上げて本体に係止するまでの動作説明図。
【図９】（ａ）〜（ｅ）は、本体に係止した物品保持体の係止を解除して降下させるときの動作説明図。
【図１０】（ａ）〜（ｄ）は本発明の物品吊り具にラグマットを取付けて展示するまでの手順説明図。
【図１１】（ａ）〜（ｄ）は本発明の物品吊り具に取付けたラグマットを他のラグマットに取替えるときの手順説明図。
【発明を実施するための形態】
【００１４】
（実施形態）
本発明の物品吊り具１の一例を、図面を参照して説明する。本発明の物品吊り具１は、前記展示物や寝具類、その他これに類する各種物品Ａの吊り具として用いることができるものであるが、ここでは物品Ａが重量２０ｋｇ程のラグマットＡの場合（図１）を一例として説明する。なお、本願では、天井Ｓ側（図１の上側）を上、床側（図１の下側）を下として説明することとする。
【００１５】
一例として図１及び図２（ａ）（ｂ）に示す物品吊り具１は、本体２と、ラグマットＡを保持する物品保持体３と、操作紐４及び複数個の滑車（図２（ｂ）の例では十個）５ａ〜５ｊを有する昇降機構６と、操作紐４を固定する紐固定部７（図７（ａ）（ｂ））を備えたものである。物品保持体３は昇降機構６を介して本体２に吊下げられ、昇降機構６の操作紐４が下向きに引っ張られると本体１側に引き上げられ、当該操作紐４が緩められる（操作紐４の引っ張りが解除される）と本体２から離れる方向に降下するようにしてある。物品保持体３は、本体２に係止されていない状態（非係止状態）において、本体中心Ｐと物品保持体３の長手方向の中心（以下「保持体中心」という）Ｑとが同一軸線上に位置するように本体２に吊下げてあり、本体２に係止された状態（係止状態）には、その保持体中心Ｑが本体中心Ｐの軸線上からずれた偏心軸線上に位置するようにしてある。
【００１６】
前記本体２は、吊り金具Ｂを介して天井Ｓの天井レールＣに吊下げられる部材である。一例として図２（ａ）（ｂ）に示す本体２は、ラグマットＡの横幅よりも幅の広い細長部材であり、その長手方向中央部に、物品保持体３に設けられた係止部８を係止可能な係止受け部９が設けられている。図２（ｂ）に示すように、本体２には、係止受け部９の両外側に一つずつと長手方向両端側に二つずつ、合計六つの滑車５ａ〜５ｆが設けられている。本体中心Ｐから係止受け部９の両外側の滑車（以下「内側滑車」という）５ａ、５ｂまでの距離Ｌ１は等距離としてある。同様に、本体中心から長手方向両端側の滑車（以下「二連滑車」という）５ｃ〜５ｆまでの距離Ｌ２及びＬ３も等距離としてある。ここでいう距離Ｌ２は本体中心から二連滑車の内側の滑車（内滑車）５ｃ、５ｄまでの距離であり、距離Ｌ３は本体中心から二連滑車の外側の滑車（外滑車）５ｅ、５ｆまでの距離である。
【００１７】
前記係止受け部９は、図３（ａ）（ｂ）に示すように、Ｍ字状の切欠き（以下「Ｍ字切欠き」という）１０を備えたプレート（以下「切欠きプレート」という）１１と、Ｙ字状のガイド部材（以下「Ｙ字状ガイド」という）１２とで構成されている。具体的には、本体２に取付けられた取付け部材（図示しない）の表面に、Ｍ字切欠き１０の開口部が下側を向くように切欠きプレート１１が固定され、当該切欠きプレート１１のＭ字切欠き１０にＹ字状ガイド１２が取付けられている。Ｙ字状ガイド１２は、上側の凹部１２ａがＭ字切欠き１０の凸部１０ａに向かい合う位置に取付けられている。切欠きプレート１１とＹ字状ガイド１２は間隔をあけて配置してあり、両者間に物品保持体３の係止部８（より詳しくは、後述する係止ピン８ａ）が通過可能なＭ字状の通路（以下「ガイド通路」という）１３が形成されている。
【００１８】
図３（ａ）（ｂ）に示すように、ガイド通路１３は、斜め導入路１３ａ、入口側直線部１３ｂ、凹溝部１３ｃ、出口側直線部１３ｄ、斜め排出路１３ｅとから構成され、当該出口側直線部１３ｄの中心が本体中心Ｐに位置するようにしてある。斜め導入路１３ａと入口側直線部１３ｂが入口側通路であり、出口側直線部１３ｄと斜め排出路１３ｅが出口側通路である。凹溝部１３ｃは凹陥状の窪みであり、係止部８の係止ピン８ａが嵌合する部分である。出口側直線部１３ｄの真下には、Ｙ字状ガイド１２の下端部１２ｂが位置するようにしてあり、本体２の近傍まで引き上げられた物品保持体３の係止ピン８ａが出口側直線部１３ｄに入らずに斜め導入路１３ａに案内されるようにしてある。
【００１９】
図３（ｂ）に示すように、物品保持体３は、その係止ピン８ａがＹ字状ガイド１２に当接するまでは出口側直線部１３ｄの延長線上（すなわち、本体中心Ｐの軸線上）を引き上げられるが、係止ピン８ａがＹ字状ガイド１２の下端部１２ｂに当接したところで、当該係止ピン８ａが斜め導入路１３ａから入口側直線部１３ｂにガイドされ、入口側直線部１３ｂを通過したところで凹溝部１３ｃに収まる。物品保持体３の係止ピン８ａが凹溝部１３ｃに収まると物品保持体３はその位置で停止し、操作紐４を離しても物品Ａが不用意に降下することがない。係止ピン８ａが凹溝部１３ｃを通過して出口側直線部１３ｄに移ると、物品保持体３の係止が解除される。このように、操作紐４を抑え具で押して物品保持体３を停止させる構造ではなく、係止部８と係止受け部９で物品保持体３を本体２に係止する構造であるため、操作紐４自体には抵抗がかからず、力の弱い作業員でも操作紐４の引っ張り操作をスムーズに行うことができる。なお、前述のガイド通路１３の構造は一例であり、係止部８が係合して物品保持体３が本体２に保持される構造であれば、これ以外の構造とすることもできる。
【００２０】
前記物品保持体３は、吊下げ対象であるラグマットＡを保持するための部材である。一例として図４（ａ）（ｂ）に示す物品保持体３は、対向配置された二枚の長板材３ａ、３ｂが複数個（図示の例では六個）の固定具１４によって固定されたものである。ここでは、固定具１４として、ソフトグリップ式のボルト１４ａとナット１４ｂを用いているが、固定具はこれ以外であってもよい。二枚の長板材３ａ、３ｂは本体２の長手方向の長さよりも若干短い寸法としてある。図４（ａ）（ｂ）及び図５（ａ）（ｂ）に示すように、それぞれの長板材３ａ、３ｂの内面には斜め上向きに突出した把持片１５ａ、１５ｂが設けられ、それら両把持片１５ａ、１５ｂによって両把持片１５ａ、１５ｂの間に配置されるラグマットＡを保持できるようにしてある。両把持片１５ａ、１５ｂの下端側は内向きに屈折させてある。
【００２１】
図４（ａ）（ｂ）及び図５（ａ）（ｂ）に示すように、それぞれの把持片１５ａ、１５ｂは、その高さ方向の位置をずらして突設してあり、ラグマットＡのうち両把持片１５ａ、１５ｂで挟まれた部分を湾曲させた状態で保持できるようにしてある。このように把持片１５ａ、１５ｂの高さ方向の位置をずらしてラグマットＡの保持部分を湾曲させることによって、ラグマットＡにかかる鉛直方向の力を小さくすることができ、把持片１５ａ、１５ｂを同一の高さに設けてラグマットＡを湾曲させずに保持する場合よりも、ラグマットＡが落下し難くなる。なお、前記ラグマットＡの保持方法は一例であり、これ以外の方法でラグマットＡを保持するようにしてもよい。
【００２２】
物品保持体３の長手方向中心部には、本体２の係止受け部９に係止可能な係止部８が上向きに突設されている。一例として図６（ａ）（ｂ）に示す係止部８は、物品保持体３に固定する固定部８ｃと当該固定部８ｃから上向きに突設した突片８ｂと当該突片８ｂの裏側に突設された係止ピン８ａを備えている。係止ピン８ａは前記ガイド通路１３に収まる太さの円柱状であり、操作紐４による物品保持体３の引き上げによって、当該ガイド通路１３を斜め導入路１３ａ、入口側直線部１３ｂ、凹溝部１３ｃ、出口側直線部１３ｄ、斜め排出路１３ｅの順に移動できるようにしてある。
【００２３】
図２（ｂ）に示すように、物品保持体３の係止部８の両外側と物品保持体３の長手方向両端寄りの箇所には、それぞれ一つずつ（合計四つ）滑車５ｇ〜５ｊが設けられている。保持体中心Ｑから係止部８の両外側の滑車（以下「内側滑車」という）５ｇ、５ｈまでの距離Ｌ４は等距離としてある。同様に、保持体中心Ｑからその長手方向両端側の滑車（以下「外側滑車」という）５ｉ、５ｊまでの距離Ｌ５も等距離としてある。
【００２４】
これら四つの滑車５ｇ〜５ｊと本体２の六つの滑車５ａ〜５ｆの外周には操作紐４が架け渡されている。具体的には、一端が本体２の紐保持部（図示しない）に保持された操作紐４を、本体２の長手方向一端側に設けられた二連滑車５ｆ、５ｄの上側、物品保持体３の一端寄りの外側滑車５ｊの下側、物品保持体３の係止部寄りの内側滑車５ｈの下側、本体２の一方の内側滑車５ｂの上側、本体２の他方の内側滑車５ａの上側、物品保持体３の係止部寄りの内側滑車５ｇの下側、物品保持体３の他端寄りの外側滑車５ｉの下側、本体２の長手方向他端側に設けられた二連滑車５ｃ、５ｅの上側の順に架け渡し、操作紐４の他端を本体２の外滑車５ｅの外側に引き出して、作業者が把持して操作できるようにしてある。これらの滑車５ａ〜５ｊ及び操作紐４は、物品保持体３を本体２に吊下げるとともに、物品保持体３を本体２から離れる方向に降下させ、又は本体２に近づく方向に上昇させる昇降機構６として機能する。滑車５ａ〜５ｊには樹脂製のものなど、操作紐４には各種合成樹脂製のロープや綿製のロープなど、いずれも既存のものを用いることができる。
【００２５】
前記紐固定部７（図７（ａ）（ｂ））は、展示中など、作業を行わないときに操作紐４を掛けまわして固定しておくための部材である。一例として図７（ａ）（ｂ）に示す紐固定部７は縦長の薄板部材である。紐固定部７は、その上端側が本体２に固定され、正面又は背面から見たときに本体２と紐固定部７がＴ字状となるようにしてある。紐固定部７は物品保持体３を本体２に係止したときに、当該物品保持体３で保持したラグマットＡの裏側に隠れるようにしてある。紐固定部７は全部がラグマットＡの裏側に隠れるようにするのが好ましが、一部のみが隠れるようにしてもよい。紐固定部７の裏面側には、Ｌ字状の係止フック１６が間隔をあけて三つ突設され、これら係止フック１６の外周に操作紐４を掛けまわして固定できるようにしてある。前記係止フック１６の形状は一例であり、単なる平板や湾曲した薄板など他の形状とすることもできる。また、係止フック１６の設置数は一つ、二つ、或いは四つ以上とすることもできる。紐固定部４は必要に応じて設ければよく、展示位置の近傍の壁面にフックが設けられている場合など、代用できるものがある場合には省略することができる。
【００２６】
本発明の物品吊り具１の本体２や物品保持体３、紐固定部７は、アルミ製としてある。アルミは軽量であるため、設置が容易である。本体２や物品保持体３、紐固定部７は、ステンレスや鉄、ＦＲＰなど、アルミ以外の材質製としてもよい。
【００２７】
（動作）
本発明の物品吊り具１の動作を、図３（ａ）（ｂ）、図８（ａ）〜（ｅ）及び図９（ａ）〜（ｅ）を参照して説明する。はじめに、物品保持体３を引き上げて本体２に係止するまでの動作を、図３（ａ）（ｂ）及び図８（ａ）〜（ｅ）を参照して説明する。
（１）図８（ａ）は、物品保持体３が本体２に吊下げられた状態を示すものである。この状態で、操作紐４を下向きに引くと、物品保持体３が本体２側に向けて引き上げられる。
（２）図８（ｂ）のように、物品保持体３が本体２の近傍まで引き上げられると、物品保持体３の係止部８（係止ピン８ａ）が本体のＹ字状ガイド１２の下方部１２ａ側に当接する。
（３）係止ピン８ａがＹ字状ガイド１２の下方部１２ａに当接した状態でさらに操作紐４を下向きに引くと、図８（ｃ）のように、係止ピン８ａがガイド通路１３の斜め導入路１３ａ（図３（ａ）（ｂ））から入口側直線部１３ｂに移動する。図８（ｃ）は、物品保持体３の係止ピン８ａが入口側直線部１３ｂの最上部（凹溝部１３ｃの入口）に到達した状態、すなわち、物品保持体３と本体２の間隔が最も近くなった状態を示すものである。
（４）前記図８（ｃ）の状態から係止ピン８ａが入口側直線部１３ｂを通過すると、図８（ｄ）に示すように、物品保持体３の係止ピン８がガイド通路１３の凹溝部１３ｃに到達する。
（５）図８（ｅ）は、物品保持体３が本体２に係止されて停止した状態を示すものである。この状態では、物品保持体３の係止ピン８ａがガイド通路１３の凹溝部１３ｃに収まって、物品保持体３が本体２に係止されているため、操作紐４を離しても物品保持体３が降下することはない。
【００２８】
次に、本体２に係止した物品保持体３の係止を解除して物品保持体３を降下させる動作を、図３（ａ）（ｂ）及び図９（ａ）〜（ｅ）を参照して説明する。
（１）図９（ａ）は、図８（ｅ）同様、物品保持体３が本体２に係止されて停止した状態を示すものである。
（２）前記図９（ａ）の状態からさらに操作紐４を下向きに引くと、図９（ｂ）に示すように、係止ピン８ａが凹溝部１３ｃ（図３（ａ）（ｂ））から脱出して出口側直線部１３ｄに移動する。図９（ｂ）は、物品保持体３が出口側直線部１３ｄの最上部（凹溝部１３ｃの出口）に位置した状態、すなわち、物品保持体３と本体２の間隔が最も近くなった状態を示すものである。
（３）前記図９（ｂ）のように係止ピン８ａが出口側直線部１３ｄに移動すると、物品保持体３の本体２への係止が解除される。この状態で図９（ｃ）のように操作紐４を緩める（上に引き戻される）と、物品保持体３が降下する。
（４）出口側直線部１３ｄの下にはＹ字状ガイド１２の下端部１２ｂが配置されており、図９（ｄ）のように、出口側直線部１３ｄを通過した係止ピン８ａは当該Ｙ字状ガイド１２の下端部１２ｂに案内されながら下方へ移動する。
（５）図９（ｅ）は、物品保持体３の本体２への係止が解除された状態を示すものである。この状態で物品保持体３を床まで降下させれば、その位置でラグマットＡの取替作業を行うことができる。
【００２９】
（ラグマットの取付け及び吊下げの手順）
ラグマットＡを物品吊り具１へ取付けて、吊下げるまでの手順を、図１０（ａ）~（ｄ）を参照して説明する。
（１）図１０（ａ）に示すように、天井Ｓに予め設置された複数本の天井レールＣに、物品吊り具１の本体２を吊下げておく。このとき、物品保持体３は本体２に係止しておくのが望ましい。
（２）前記（１）の状態で、操作紐４を操作して物品保持体３の係止を解除し、当該物品保持体３を床まで降下させる（図１０（ｂ））。
（３）前記（２）の状態で、物品保持体３の二枚の長板材３ａ、３ｂの把持片１５ａ、１５ｂで展示対象であるラグマットＡを保持させる（図１０（ｂ））。
（４）前記（３）の状態で、操作紐４を下向きに引っ張って物品保持体３を本体２側に向けて上昇させ（図１０（ｃ））、物品保持体３の係止ピン８ａがガイド通路１３の凹溝部１３ｃに収まるまで物品保持体３を上昇させる（図１０（ｄ））。
（５）以上の工程をそれぞれの物品吊り具１について行うことによって、複数枚のラグマットＡを図１に示すように並べて吊下げることができる。
【００３０】
（ラグマットの取替え手順）
吊下状態にあるラグマット（説明の便宜上「ラグマットＸ」とする）を他のラグマット（説明の便宜上「ラグマットＹ」とする）に取替える手順を、図１１（ａ）~（ｄ）を参照して説明する。
（１）図１１（ａ）は本発明の物品吊り具１によってラグマットＸを吊下げた状態を示すものである。
（２）前記（１）の状態で、操作紐４を操作して物品保持体３の本体２への係止を解除し、当該物品保持体３を床まで降下させる（図１１（ｂ））。
（３）前記（２）の状態で、物品保持体３で保持されたラグマットＸを取り外し、新たなラグマットＹに取替える。
（４）新たなラグマットＹに取替えたら、操作紐４を下向きに引っ張って物品保持体３を本体２側に向けて上昇させ（図１１（ｃ））、物品保持体３の係止ピン８ａをガイド通路１３の凹溝部１３ｃに収める（図１１（ｄ））。
（５）以上の工程を、所望の物品吊り具１について行うことによって、ラグマットＸを新たなラグマットＹに取替えることができる。
【００３１】
（その他の実施形態）
前記実施形態では、物品ＡがラグマットＡの場合を一例として説明しているが、本願の物品Ａには、ラグマットＡのほか、絨毯やカーペット、カーテン、暖簾、ポスター、絵画といった各種展示物、敷布団や掛布団、シーツなどの各種寝具類、その他これに類する物（例えば、学校の体育館や演劇場の舞台、映画館などに設置される緞帳など、その一部（上方）を保持した状態で吊下げ可能な物）が含まれ、本発明の物品吊り具１はこれら物品Ａの吊下げに用いることができる。なお、前記実施形態では、ラグマットＡを二枚の把持片１５ａ、１５ｂで挟持する場合を一例としているが、物品保持体３における物品保持構造は、吊下げ対象である物品Ａに応じて変更することができる。例えば、ポスターや絵画を保持する場合には、物品保持体３の下端側にピクチャーレール（図示しない）を配設し、当該ピクチャーレールのリングに絵画吊下げ用のワイヤーを引っ掛けられるような構造にすることができる。
【００３２】
前記実施形態では、店舗や展示場にラグマットＡを展示する場合を一例として説明しているが、本発明の物品吊り具１は、一般家庭や介護施設、宿泊施設などにおいて使用される各種寝具類を干す場合に用いることができる。寝具類を干す場合、ベランダの手摺りや庭等に設置した物干し竿など（以下「手摺り等」という）を用いるのが一般的である。手摺り等を用いて寝具類を干す場合、寝具類の中央部分を手摺り等に掛け、寝具類の内面同士が対向するような形にすることが多い。この場合、寝具類の外面のうち、折り曲げた一方の面にしか日が当たらず、頃合いをみて寝具類の向きを変える必要がある。本発明の物品吊り具１では、寝具類の上方を保持することによって、寝具類を広げた状態で干すことができるため、寝具類の外側全面を一度に日にあてることができ、寝具類の向きを変える手間がかからないというメリットがある。
【産業上の利用可能性】
【００３３】
本発明の物品吊り具１は、ラグマットＡのほか、各種展示物や各種寝具類、その他これに類する各種物品の吊り具として幅広く用いることができる。
【符号の説明】
【００３４】
１      物品吊り具
２      本体
３      物品保持体
３ａ、３ｂ  長板材
４      操作紐
５ａ、５ｂ  内側滑車
５ｃ、５ｄ  内滑車
５ｅ、５ｆ  外滑車
５ｇ、５ｈ  内側滑車
５ｉ、５ｊ  外側滑車
６      昇降機構
７      紐固定部
８      係止部
８ａ    係止ピン
８ｂ    突片
８ｃ    固定部
９      係止受け部
１０    Ｍ字切欠き
１０ａ  （Ｍ字切欠きの）凸部
１１    切欠きプレート
１２    Ｙ字状ガイド
１２ａ  （Ｙ字状ガイドの）凹部
１２ｂ  （Ｙ字状ガイドの）下端部
１３    ガイド通路
１３ａ  斜め導入路
１３ｂ  入口側直線部
１３ｃ  凹溝部
１３ｄ  出口側直線部
１３ｅ  斜め排出路
１４    固定具
１４ａ  ボルト
１４ｂ  ナット
１５ａ、１５ｂ  把持片
１６    係止フック
Ａ      物品
Ｂ      吊り金具
Ｃ      天井レール
Ｐ      本体中心
Ｑ      保持体中心
Ｓ      天井
【手続補正２】
【補正対象書類名】特許請求の範囲
【補正対象項目名】全文
【補正方法】変更
【補正の内容】
【特許請求の範囲】
【請求項１】
物品の吊下げに用いる物品吊り具において、
本体と、物品を保持する物品保持体と、操作紐及び複数個の滑車を有する昇降機構と、互いに係止離脱可能な係止部と係止受け部を備え、
前記本体及び物品保持体は、縦寸法よりも横寸法が長い細長部材であり、
前記係止部は前記物品保持体に設けられ、
前記係止受け部は前記本体に設けられ、
前記複数個の滑車は、前記本体と前記物品保持体のそれぞれの長手方向に複数個ずつ設けられ、
前記操作紐は、前記本体に設けられた複数個の滑車と前記物品保持体に設けられた複数個の滑車に一連に架け渡され、その一端が前記本体の長手方向一端側に保持され、他端側が前記本体の長手方向他端側の外側に引き出され、
前記物品保持体は前記操作紐の前記一連の架け渡しにより前記本体の下に吊り下げられた、
ことを特徴とする物品吊り具。
【請求項２】
請求項１記載の物品吊り具において、
一連に架け渡された操作紐の操作によって物品保持体が所定位置まで引き上げられると、係止部と係止受け部が互いに係止して前記物品保持体が停止し、前記物品保持体が停止した位置からさらに前記操作紐が引かれると前記係止部と前記係止受け部の係止が解除され、前記操作紐の引きが解放されると前記物品保持体が少なくともその自重により降下する、
ことを特徴とする物品吊り具。
【請求項３】
請求項１又は請求項２記載の物品吊り具において、
係止部は係止ピンを備え、
係止受け部は前記係止ピンが通過可能な入口側通路と凹溝部と出口側通路を備え、
前記凹溝部は前記入口側通路と前記出口側通路の間に設けられ、前記係止ピンが前記凹溝部に係止すると、物品保持体がその位置で停止する、
ことを特徴とする物品吊り具。
【請求項４】
請求項１から請求項３のいずれか１項に記載の物品吊り具において、
本体の長手方向外側に引き出された操作紐の一端側を保持可能な紐固定部が設けられた、
ことを特徴とする物品吊り具。
【請求項５】
請求項１から請求項４のいずれか１項に記載の物品吊り具において、
本体は、天井に設けられた天井レールに吊金具を介して吊り下げ可能である、
ことを特徴とする物品吊り具。